(57)【要約】【課題】操作手段の操作を要する操作演出の興趣を向上する遊技機を提供すること。【解決手段】第１ボタン演出の操作有効期間と、第２ボタン演出の操作有効期間が重複したとき、各ボタン演出毎に、要求した操作ボタンの操作が満たされたか否かを判定し、満たされた場合には、それぞれボタン演出の演出結果を表示させた。すなわち、重複する操作有効期間において、操作ボタンが操作される毎に、第１ボタン演出の必要操作回数と、第２ボタン演出の必要操作回数がそれぞれ減算することができる。そして、第１ボタン演出の必要操作回数が所定値「０」となった場合には、第１ボタン演出の演出結果をメイン演出表示装置に表示させ、第２ボタン演出の必要操作回数が所定値「０」となった場合には、第２ボタン演出の演出結果をサブ演出表示装置に表示させるようにした。【選択図】図６
2015192812.tif 000002
【特許請求の範囲】
【請求項１】
操作手段の操作を要求する操作演出が表示され、当該操作演出の要求に応じて前記操作手段が操作された場合に、当該操作演出に応じた演出結果が報知される遊技機において、
同時期に複数種類の操作演出が表示されたとき、いずれかの操作演出により要求される前記操作手段の操作が行われた場合には、要求した操作が満たされた操作演出に応じた演出結果が報知されることを特徴とする遊技機。
【請求項２】
各種画像を表示する第１演出表示領域と、
前記第１演出表示領域とは異なる各種画像を表示する第２演出表示領域が設けられ、
前記第１演出表示領域と前記第２演出表示領域が、同時期に前記操作演出をそれぞれ表示することを特徴とする請求項１に記載の遊技機。
【請求項３】
同時期に複数種類の操作演出が表示されたとき、いずれかの操作演出により要求される前記操作手段の操作を満たすと同時に、それ以外の操作演出により要求される前記操作手段の操作を満たすことが可能に構成されていることを特徴とする請求項１又は請求項２に記載の遊技機。
【請求項４】
同時期に複数種類の操作演出が表示されたとき、いずれかの操作演出により要求される前記操作手段の操作が行われた場合には、全ての操作演出に応じた演出結果が報知されることを特徴とする請求項１又は請求項２に記載の遊技機。
【発明の詳細な説明】
【技術分野】
【０００１】
本発明は、遊技機に関するものである。
【背景技術】
【０００２】
従来、遊技機の一種であるパチンコ遊技機では、図柄変動ゲームの終了後に当り遊技を付与するとともに、この図柄変動ゲームにおいて各種の遊技演出を実行することで遊技者の興趣を向上させている。パチンコ遊技機の中には、図柄変動ゲーム中に、操作ボタンの操作を促す操作演出が表示され、操作演出に従って操作ボタンが操作されると、当該操作演出に対応した所定の演出が実行されるものがある（例えば、特許文献１、特許文献２参照）。操作ボタンを操作させることにより、遊技者に遊技に積極的に参加させ、遊技の興趣を向上させることができる。
【先行技術文献】
【特許文献】
【０００３】
【特許文献１】特開２００７−２９７５９号公報
【特許文献２】特開２０１１−４８９６号公報
【発明の概要】
【発明が解決しようとする課題】
【０００４】
ところで、パチンコ遊技機の中には、複数の表示領域を設けて、一方の表示領域には図柄変動ゲームについて表示させ、他方の表示領域には、それとは異なる表示内容（例えば、保留記憶数）を表示させるものがある。この場合、各表示領域において、それぞれ操作演出を表示させることが可能となる。
【０００５】
しかしながら、同時期に操作ボタンの操作を要求する操作演出が複数表示される場合、いずれの操作演出に対応する操作ボタンの操作を行えば良いか認識しにくいという問題があり、複数の表示領域を設けたとしても、同時期に複数種類の操作演出を表示させることはなかった。
【０００６】
この発明は、このような従来の技術に存在する問題点に着目してなされたものであり、その目的は、操作手段の操作を要する操作演出の興趣を向上する遊技機を提供することにある。
【課題を解決するための手段】
【０００７】
上記問題点を解決する遊技機は、操作手段の操作を要求する操作演出が表示され、当該操作演出の要求に応じて前記操作手段が操作された場合に、当該操作演出に応じた演出結果が報知される遊技機において、同時期に複数種類の操作演出が表示されたとき、いずれかの操作演出により要求される前記操作手段の操作が行われた場合には、要求した操作が満たされた操作演出に応じた演出結果が報知されることを要旨とする。
【０００８】
上記遊技機において、各種画像を表示する第１演出表示領域と、前記第１演出表示領域とは異なる各種画像を表示する第２演出表示領域が設けられ、前記第１演出表示領域と前記第２演出表示領域が、同時期に前記操作演出をそれぞれ表示するようにしてもよい。
【０００９】
上記遊技機において、同時期に複数種類の操作演出が表示されたとき、いずれかの操作演出により要求される前記操作手段の操作を満たすと同時に、それ以外の操作演出により要求される前記操作手段の操作を満たすことが可能に構成されているようにしてもよい。
【００１０】
上記遊技機において、同時期に複数種類の操作演出が表示されたとき、いずれかの操作演出により要求される前記操作手段の操作が行われた場合には、全ての操作演出に応じた演出結果が報知されるようにしてもよい。
【発明の効果】
【００１１】
本発明によれば、操作手段の操作を要する操作演出の興趣を向上することができる。
【図面の簡単な説明】
【００１２】
【図１】パチンコ遊技機を示す正面図。
【図２】遊技盤を示す正面図。
【図３】（ａ）と（ｂ）は、スペックを示す図。
【図４】パチンコ遊技機の電気的構成を示すブロック図。
【図５】（ａ）〜（ｆ）は、ボタン演出の演出態様を示す模式図。
【図６】（ａ）〜（ｃ）は、ボタン演出の演出態様を示す模式図。
【図７】（ａ）〜（ｃ）は、ボタン演出の演出態様を示す模式図。
【発明を実施するための形態】
【００１３】
以下、遊技機としてのパチンコ遊技機の一実施形態を説明する。
図１に示すように、パチンコ遊技機には、遊技盤ＹＢが備えられている。パチンコ遊技機には、発射ハンドルＨＤが備えられており、発射ハンドルＨＤが回動動作されることにより、遊技盤ＹＢへ遊技球が発射される。
【００１４】
遊技盤ＹＢには、複数の発光部を有する特別図柄表示装置１１が配設されている。この特別図柄表示装置１１では、複数種類の図柄（特別図柄）を変動させて表示する変動ゲーム（特別図柄変動ゲーム）が行われる。
【００１５】
本実施形態において特別図柄表示装置１１には、複数種類の特別図柄の中から、当り抽選の抽選結果に対応する１つの特別図柄が選択され、その選択された特別図柄が変動ゲームの終了によって停止表示される。特別図柄には、大当りを認識し得る大当り図柄と、はずれを認識し得るはずれ図柄とに分類される。大当り図柄が停止表示された場合、遊技者には、大当り遊技が付与される。
【００１６】
また、遊技盤ＹＢには、画像を表示するメイン演出表示装置１３ａが配設されている。メイン演出表示装置１３ａでは、特別図柄変動ゲームに関連する表示演出が行われる。表示演出として、具体的には、複数種類の飾り図柄を複数列で変動させる飾り図柄変動ゲームが行われる。
【００１７】
メイン演出表示装置１３ａには、各列毎に複数種類の飾り図柄が変動表示及び停止表示可能に構成されている。そして、メイン演出表示装置１３ａは、特別図柄表示装置１１に比較して大きい表示領域で構成されるとともに、飾り図柄は特別図柄に比較して遥かに大きく表示される。このため、遊技者は、メイン演出表示装置１３ａに停止表示された図柄組み合わせから大当り又ははずれを認識できる。メイン演出表示装置１３ａに停止表示された全列の図柄が同一種類の場合には、その図柄組み合わせから大当り遊技が付与される大当りを認識できる。この大当りを認識できる図柄組み合わせが飾り図柄による大当りの図柄組み合わせ（大当り表示結果）となる。大当りの図柄組み合わせが停止表示されると、遊技者には、変動ゲームの終了後に大当り遊技が付与される。一方、メイン演出表示装置１３ａに停止表示された全列の図柄が同一種類でない場合には、その図柄組み合わせからはずれを認識できる。このはずれを認識できる図柄組み合わせが飾り図柄によるはずれの図柄組み合わせ（はずれ表示結果）となる。
【００１８】
また、メイン演出表示装置１３ａには、特別図柄表示装置１１の表示結果に応じた図柄組み合わせが停止表示される。より詳しくは、特別図柄表示装置１１に停止表示される特別図柄と、メイン演出表示装置１３ａに停止表示される飾り図柄による図柄組み合わせが対応する。例えば、特別図柄表示装置１１に大当り図柄が停止表示される場合には、メイン演出表示装置１３ａにも大当りの図柄組み合わせが停止表示される。また、特別図柄表示装置１１にはずれ図柄が停止表示される場合には、メイン演出表示装置１３ａにもはずれの図柄組み合わせが停止表示される。なお、特別図柄に対する飾り図柄の図柄組み合わせは一対一とは限らず、１つの特別図柄に対して複数の飾り図柄による図柄組み合わせの中から１つの飾り図柄による図柄組み合わせが選択される。
【００１９】
また、メイン演出表示装置１３ａの下方には、画像を表示するサブ演出表示装置１３ｂが配設されている。サブ演出表示装置１３ｂでは、遊技に関する各種情報を表示する。なお、メイン演出表示装置１３ａと、サブ演出表示装置１３ｂは、それぞれ独立した別体にて構成されている。すなわち、メイン演出表示装置１３ａにおける表示領域と、サブ演出表示装置１３ｂにおける表示領域は、独立して区切られて存在している。このため、メイン演出表示装置１３ａと、サブ演出表示装置１３ｂとで、別の表示内容が表示されていても遊技者に違和感を与えることはない。また、サブ演出表示装置１３ｂの表示領域は、メイン演出表示装置１３ａの表示領域と比較して狭く構成されている。なお、サブ演出表示装置１３ｂの表示内容については、後述する。
【００２０】
図２に示すように、メイン演出表示装置１３ａの下方には、遊技球が入球可能な入球口としての始動入賞口１４を備えた始動入賞装置１５が配設されている。また、始動入賞装置１５には、始動入賞口１４へ入球した遊技球を検知する始動センサＳＥ１が設けられている。始動センサＳＥ１が始動入賞口１４に入球した遊技球を検知することを契機に、特別図柄変動ゲームの始動条件が成立し得る。また、始動センサＳＥ１が始動入賞口１４に入球した遊技球を検知することを契機に、予め定めた個数の賞球としての遊技球の払出条件が成立する。
【００２１】
また、メイン演出表示装置１３ａの右下方（始動入賞口１４の右上方）には、大入賞口ソレノイドＳＯＬ１の作動により開閉動作を行う大入賞口扉１９を備えた大入賞装置２０が配設されている。大入賞口扉１９が開放動作を行うと、大入賞装置２０に設けられた大入賞口２１が開放され、大入賞装置２０内への遊技球の入球が可能となる。また、大入賞口２１へ入球した遊技球を検知するカウントセンサＳＥ３が配設されている。カウントセンサＳＥ３が大入賞口２１に入球した遊技球を検知することにより、予め定めた個数の賞球としての遊技球の払出条件が成立する。
【００２２】
そして、大当り遊技が付与されると、付与された大当り遊技の種類に応じて大入賞口扉１９が開状態となり、大入賞口２１が開放され、その開放により遊技球の入球が許容される。このため、遊技者は、多数の賞球を獲得できるチャンスを得ることができる。本実施形態において大当り遊技は、多数の賞球を獲得できるチャンスを得られることから、遊技者に有利な状態となる。そして、この大当り遊技は、内部抽選で大当りが決定し、変動ゲームにて大当り図柄（大当り表示結果）が停止表示されることを契機に付与される。
【００２３】
図２に示すように、遊技盤ＹＢには、保留表示装置２２が配設されている。保留表示装置２２は、実行が保留されている変動ゲームの数を示すものである。具体的には、保留表示装置２２は、始動入賞口１４に遊技球が入球することにより変動ゲームの始動条件が成立した一方で、変動ゲームの実行条件が未だ成立していないことから実行（開始）が保留されている変動ゲームの数、所謂、始動保留の記憶数（以下、保留記憶数）を示す。
【００２４】
次に、本実施形態における大当り遊技について、説明する。
大当り遊技は、変動ゲームにて大当り図柄が停止表示されて該ゲームが終了した後、開始される。大当り遊技が開始すると、オープニング時間が設定される。そして、このオープニング時間において、最初に大当り遊技の開始を示すオープニング演出が行われる。また、オープニング時間が終了すると、大入賞口２１が開放されるラウンド遊技が、予め定めた規定ラウンド数を上限として複数回行われる。１回のラウンド遊技中に大入賞口２１は、入球上限個数の遊技球が入賞するまでの間、又は規定時間が経過するまでの間、開放される。また、ラウンド遊技では、ラウンド演出が行われる。そして、すべてのラウンド遊技が終了すると、エンディング時間が設定される。また、このエンディング時間において、大当り遊技の終了を示すエンディング演出が行われる。また、エンディング時間が終了すると、大当り遊技は終了される。
【００２５】
そして、本実施形態では、大当り抽選に当選した場合、複数種類の大当り遊技の中から１つの大当り遊技が決定され、その決定された大当り遊技が付与されるようになっている。そして、複数種類の大当り遊技のうち、何れの大当り遊技が付与されるかは、大当り抽選に当選した際に決定する特別図柄（大当り図柄）の種類に応じて決定されるようになっている。
【００２６】
また、図１に示すように、本実施形態のパチンコ遊技機の前面側には、遊技中に遊技者の操作が許容される操作手段としての押し釦式の操作ボタンＢＴが設けられている。この操作ボタンＢＴが押下操作（操作）されると、操作ボタンＢＴは、演出制御基板３１（演出制御用ＣＰＵ３１ａ）に操作ボタンＢＴが操作されたことを示すボタン検知信号を出力する。そして、演出制御基板３１（演出制御用ＣＰＵ３１ａ）には、操作ボタンＢＴが接続されており、操作ボタンＢＴから操作ボタンＢＴが操作されたことを示すボタン検知信号が入力されるようになっている。
【００２７】
ここで、図３に基づき、パチンコ遊技機のスペックについて説明する。
図３（ａ）には、変動ゲームにおいて大当りとなったときに付与される大当り遊技について説明している。なお、図３において、「図柄」は、大当り図柄の種類を示し、「割合」は、大当り遊技が付与される割合を示し、「規定Ｒ数」は、規定ラウンド数を示す。また、「ＯＰ」は、オープニング時間を示し、「大入賞口の開放時間」は、１回のラウンド遊技において入球上限個数の遊技球の入球がない場合における大入賞口扉１９の最大開放時間を示す。また、「ＥＤ」は、エンディング時間を示す。
【００２８】
また、図３（ｂ）において、「大当り確率」は、大当り判定（抽選）の当選確率を示す。また、「始動センサ検知時」は、始動センサＳＥ１が遊技球を検知したときにおける払出し賞球数を示し、「カウントセンサ検知時」は、カウントセンサＳＥ３が遊技球を検知したときにおける払出し賞球数を示す。また、「大当り遊技における入球上限個数」は、１回のラウンド遊技において入球させることができる個数を示す。
【００２９】
次に、図４に基づき、パチンコ遊技機の制御構成について説明する。
パチンコ遊技機の機裏側には、主制御基板３０が装着されている。主制御基板３０は、パチンコ遊技機に関する各種処理を実行し、該処理結果に応じて遊技を制御するための各種の制御信号（制御コマンド）を出力する。また、機裏側には、演出制御基板３１が装着されている。演出制御基板３１は、主制御基板３０が出力した制御信号（制御コマンド）に基づき、メイン演出表示装置１３ａ及びサブ演出表示装置１３ｂの表示態様（図柄、背景、文字などの表示画像など）の決定に関する処理などを実行し、処理結果に応じて表示内容を制御する。
【００３０】
以下、主制御基板３０及び演出制御基板３１について、その具体的な構成を説明する。
前記主制御基板３０には、主制御用ＣＰＵ３０ａが備えられている。該主制御用ＣＰＵ３０ａには、主制御用ＲＯＭ３０ｂ及び主制御用ＲＡＭ３０ｃが接続されている。主制御用ＣＰＵ３０ａには、始動センサＳＥ１と、カウントセンサＳＥ３が接続されている。また、主制御用ＣＰＵ３０ａには、特別図柄表示装置１１が接続されている。また、主制御用ＣＰＵ３０ａには、大入賞口ソレノイドＳＯＬ１が接続されている。また、主制御用ＣＰＵ３０ａには、保留表示装置２２が接続されている。
【００３１】
また、主制御用ＲＯＭ３０ｂには、パチンコ遊技機に関する各種処理を実行するためのメイン制御プログラムが記憶されている。また、主制御用ＲＯＭ３０ｂには、複数種類の変動パターンが記憶されている。変動パターンは、図柄（特別図柄及び飾り図柄）が変動表示を開始（変動ゲームが開始）してから図柄が停止表示（変動ゲームが終了）される迄の間の遊技演出（表示演出等）のベースとなるパターンを示すものである。すなわち、変動パターンは、少なくとも、特別図柄が変動表示開始してから特別図柄が停止表示されるまでの演出時間（変動時間）を特定することができる。本実施形態における変動パターンでは、特別図柄が変動表示開始してから特別図柄が停止表示されるまでの間の変動ゲームの演出内容（大当りの有無など）も特定することができる。
【００３２】
変動パターンには、大当り演出を特定する大当り変動パターンがある。また、変動パターンには、はずれ演出を特定するはずれ変動パターンがある。なお、大当り変動パターンと、はずれ変動パターンには、それぞれ複数種類の変動パターンが用意されている。大当り演出は、変動ゲームが、最終的に大当りの図柄組み合わせを停止表示させるように展開される演出である。はずれ演出は、変動ゲームが、最終的にはずれの図柄組み合わせを停止表示させるように展開される演出である。
【００３３】
本実施形態では、変動パターンにより特定される演出内容毎に、大当り信頼度が設定されている。なお、特定の遊技演出における大当り期待度を高く設定するためには、大当りの場合に選択される割合と、はずれの場合に選択される割合との合算割合に占める、大当りの場合に選択される割合を高くすればよい。
【００３４】
また、主制御用ＲＯＭ３０ｂには、各種の判定値が記憶されている。例えば、主制御用ＲＯＭ３０ｂには、大当り抽選で用いられる大当り判定値が記憶されている。
また、主制御基板３０内では、当り判定用乱数や、特別図柄振分用乱数、変動パターン振分用乱数として使用される各種乱数が生成される。因みに、当り判定用乱数は、大当り抽選に用いる乱数である。特別図柄振分用乱数は、特別図柄を決定する際に用いられる乱数である。変動パターン振分用乱数は、変動パターンを決定する際に用いる乱数である。変動パターン振分用乱数の取り得る値は、はずれ変動パターン及び大当り変動パターンの分類毎に、振り分けを異ならせている。なお、各種乱数として使用される乱数は、ハードウェア乱数であってもよいし、ソフトウェア乱数であってもよい。
【００３５】
次に、図４に基づき演出制御基板３１について説明する。
演出制御基板３１には、演出制御用ＣＰＵ３１ａが備えられている。該演出制御用ＣＰＵ３１ａには、演出制御用ＲＯＭ３１ｂ及び演出制御用ＲＡＭ３１ｃが接続されている。また、演出制御用ＲＡＭ３１ｃには、パチンコ遊技機の動作中に適宜書き換えられる各種情報（乱数値、タイマ値、フラグ等）が記憶される。また、演出制御用ＣＰＵ３１ａは、各種乱数の値を所定の周期毎に更新し、更新後の値を演出制御用ＲＡＭ３１ｃの設定領域に記憶（設定）して更新前の値を書き換えている。
【００３６】
また、演出制御用ＲＯＭ３１ｂには、遊技演出を実行させるための演出制御プログラムが記憶されている。演出制御用ＣＰＵ３１ａは、各種制御コマンドを入力すると、当該演出制御プログラムに基づき各種制御を実行する。また、演出制御用ＲＯＭ３１ｂには、各種の画像データ（図柄、各種背景画像、文字、キャラクタなどの画像データ）が記憶されている。また、演出制御用ＣＰＵ３１ａには、メイン演出表示装置１３ａが接続されており、各種制御コマンドを入力すると、演出制御プログラムに基づき、メイン演出表示装置１３ａの表示内容を制御する。また、演出制御用ＣＰＵ３１ａには、サブ演出表示装置１３ｂが接続されており、各種制御コマンドを入力すると、演出制御プログラムに基づき、サブ演出表示装置１３ｂの表示内容を制御する。
【００３７】
次に、主制御用ＣＰＵ３０ａが、メイン制御プログラムに基づき実行する特別図柄入力処理や特別図柄開始処理などの各種処理について説明する。最初に、特別図柄入力処理を説明する。特別図柄入力処理は、主制御用ＣＰＵ３０ａにより所定周期毎に実行されるようになっている。
【００３８】
まず、主制御用ＣＰＵ３０ａは、始動入賞口１４に遊技球が入球したか否かを判定する保留判定を実行する。すなわち、主制御用ＣＰＵ３０ａは、保留判定において、始動センサＳＥ１が遊技球を検知した時に出力する検知信号を入力したか否かを判定する。保留判定の判定結果が肯定の場合（入球した場合）、主制御用ＣＰＵ３０ａは、保留記憶数が上限値（本実施形態では「４」）よりも少ないか否かを判定する保留記憶数判定を実行する。保留記憶数判定の判定結果が否定の場合（保留記憶数の上限値に達していた場合）、主制御用ＣＰＵ３０ａは、特別図柄入力処理を終了する。
【００３９】
一方、保留記憶数判定の判定結果が肯定の場合（上限値に達していない場合）、主制御用ＣＰＵ３０ａは、主制御用ＣＰＵ３０ａは、変動ゲームに係わる各種乱数の値を取得し、主制御用ＲＡＭ３０ｃの所定の記憶領域に取得した乱数値を記憶する。その際、取得した乱数値が、変動ゲームに係わる乱数値であること、及びその取得順序が認識できるように記憶する。なお、主制御用ＣＰＵ３０ａは、主制御用ＲＡＭ３０ｃの記憶内容（未だ変動ゲームで利用されていない乱数値の記憶量）に基づき、保留記憶数を特定可能に構成されている。そして、主制御用ＣＰＵ３０ａは、主制御用ＲＡＭ３０ｃの記憶内容が更新され、保留記憶数が変化すると、更新後の保留記憶数を表示させるように保留表示装置２２を制御する。また、主制御用ＣＰＵ３０ａは、更新後の保留記憶数等の保留情報を指定する保留指定コマンドを出力する。そして、特別図柄入力処理を終了する。また、保留判定の判定結果が否定の場合（始動入賞口１４に入球しなかった場合）、主制御用ＣＰＵ３０ａは、特別図柄入力処理を終了する。
【００４０】
以上のように、本実施形態では、始動センサＳＥ１が遊技球を検知した時に、保留記憶数がその上限値に達していない場合には、変動ゲームの始動条件が成立したこととなり、変動ゲームを実行させるための情報（乱数値など）が記憶される。
【００４１】
次に、特別図柄開始処理について説明する。主制御用ＣＰＵ３０ａは、特別図柄開始処理を所定周期毎に実行するようになっている。
主制御用ＣＰＵ３０ａは、大当り遊技中又は図柄変動ゲーム中でない場合、保留記憶数を特定し、保留記憶数が「０」よりも大きいか否か判定する。保留記憶数が「０」の場合、主制御用ＣＰＵ３０ａは、特別図柄開始処理を終了する。
【００４２】
一方、この判定結果が肯定の場合（保留記憶数＞０の場合）、主制御用ＣＰＵ３０ａは、変動ゲームの実行条件が成立したと判定する。なお、本実施形態では、大当り遊技及び図柄変動ゲームのいずれも実行中でない場合であって、保留記憶数が＞０のとき（すなわち、実行が保留されている変動ゲームが存在するとき）に、変動ゲームの実行条件が成立する。
【００４３】
次に、主制御用ＣＰＵ３０ａは、変動ゲームに係わる（変動ゲームに利用される）乱数値のうち、取得順序に従って最も早く実行される変動ゲームに係わる乱数値（当り判定用乱数、変動パターン振分用乱数、及び特別図柄振分用乱数の値）を取得する。具体的には、変動ゲームに係わる乱数値であって、まだ変動ゲームを実行させるために利用されていない乱数値のうち、最も早く取得された乱数値を取得する。また、主制御用ＣＰＵ３０ａは、特定した保留記憶数を１減算し、当該保留記憶数を表すように保留表示装置２２の表示内容を変更させる。また、主制御用ＣＰＵ３０ａは、更新後の保留記憶数等の保留情報を示す保留指定コマンドを出力する。
【００４４】
主制御用ＣＰＵ３０ａは、取得した当り判定用乱数の値が主制御用ＲＯＭ３０ｂに記憶されている大当り判定値と一致するか否かを判定して大当り判定（大当り抽選）を行う。
大当り判定の判定結果が肯定の場合（大当りの場合）、主制御用ＣＰＵ３０ａは、取得した図柄振分用乱数の値に基づき、大当り遊技の種類を決定すると共に、特別図柄による大当り図柄の中から特別図柄表示装置１１にて停止表示される最終停止図柄を決定する。その後、主制御用ＣＰＵ３０ａは、取得した変動パターン振分用乱数に基づき、大当り変動パターンの中から変動パターンを決定する。
【００４５】
変動パターン及び最終停止図柄を決定した主制御用ＣＰＵ３０ａは、演出制御基板３１（演出制御用ＣＰＵ３１ａ）に対し、所定の制御コマンドを所定のタイミングで出力する等、変動ゲームに関する各種処理を実行する。
【００４６】
具体的に言えば、主制御用ＣＰＵ３０ａは、変動パターンを指定すると共に図柄変動の開始を指示する変動パターン指定コマンドを最初に出力する。変動パターン指定コマンドを出力する同時に、主制御用ＣＰＵ３０ａは、特図を変動開始させるように特別図柄表示装置１１の表示内容を制御する。また、同時に、主制御用ＣＰＵ３０ａは、変動ゲームの演出時間の計測を開始する。また、主制御用ＣＰＵ３０ａは、最終停止図柄の種類を指定するための特別図柄指定コマンドを出力する。なお、最終停止図柄が大当り図柄である場合には、大当り遊技の種類を特定することができるため、特別図柄指定コマンドは、当り遊技の種類を指定するための当り種別指定コマンドでもある。そして、主制御用ＣＰＵ３０ａは、特別図柄開始処理を終了する。
【００４７】
その後、特別図柄開始処理とは別の処理で、主制御用ＣＰＵ３０ａは、前記指定した変動パターンに定められている演出時間（変動時間）に基づいて、決定した最終停止図柄を表示させるように特別図柄表示装置１１の表示内容を制御する。また、主制御用ＣＰＵ３０ａは、前記指定した変動パターンに定められている演出時間に基づいて、飾り図柄の変動停止を指示し、図柄組み合わせを停止表示させるための全図柄停止コマンドを出力する。
【００４８】
一方、大当り判定の判定結果が否定の場合（大当りでない場合）、主制御用ＣＰＵ３０ａは、はずれ図柄を特別図柄表示装置１１にて停止表示される最終停止図柄として決定する。次に、主制御用ＣＰＵ３０ａは、取得した変動パターン振分用乱数の値に基づき、はずれ変動パターンの中から変動パターンを決定する。
【００４９】
そして、変動パターン及び最終停止図柄を決定した主制御用ＣＰＵ３０ａは、前述（大当りの場合）同様、演出制御基板３１（演出制御用ＣＰＵ３１ａ）に対し、所定の制御コマンドを所定のタイミングで出力する等、変動ゲームに関する各種処理を実行する。その後、主制御用ＣＰＵ３０ａは、特別図柄開始処理を終了する。
【００５０】
そして、主制御用ＣＰＵ３０ａは、大当りを決定した場合、決定した変動パターンに基づく図柄変動ゲームの終了後、最終停止図柄に基づき特定された種類の大当り遊技の制御を開始し、演出制御基板３１（演出制御用ＣＰＵ３１ａ）に対し、所定の制御コマンドを所定のタイミングで出力する。
【００５１】
具体的には、主制御用ＣＰＵ３０ａは、オープニング時間の設定を開始する。また、主制御用ＣＰＵ３０ａは、オープニング時間が開始したことを指示するオープニングコマンドを演出制御基板３１に出力する。次に、主制御用ＣＰＵ３０ａは、オープニング時間の終了後、各ラウンド遊技を制御する。すなわち、主制御用ＣＰＵ３０ａは、各ラウンド遊技の開始時にラウンド遊技の開始を指示するラウンドコマンドを演出制御基板３１に出力する。また、主制御用ＣＰＵ３０ａは、ラウンド遊技毎に、大入賞口２１の開放及び閉鎖を制御する。すなわち、主制御用ＣＰＵ３０ａは、入球上限個数の遊技球が入賞するまでの間、又はラウンド遊技毎に予め決められた規定時間が経過するまでの間、大入賞口２１を開放する。
【００５２】
そして、主制御用ＣＰＵ３０ａは、大入賞口２１を閉鎖した場合には、ラウンド遊技毎に予め決められたインターバル時間を経過するまで、閉鎖を維持し、その後、ラウンド遊技を終了する。これらの一連の制御を、規定ラウンド数に達するまで実行する。なお、大入賞口２１を開放させる際には、主制御用ＣＰＵ３０ａは、演出制御基板３１に対して大入賞口２１の開放を示す開放コマンドを出力する。また、大入賞口２１を閉鎖させる際には、主制御用ＣＰＵ３０ａは、演出制御基板３１に対して大入賞口２１の閉鎖を示す閉鎖コマンドを出力する。
【００５３】
規定ラウンド数のラウンド遊技が終了すると、主制御用ＣＰＵ３０ａは、エンディング時間の設定を開始する。また、主制御用ＣＰＵ３０ａは、エンディング時間が開始したことを指示するエンディングコマンドを演出制御基板３１に出力する。そして、エンディング時間を経過すると、主制御用ＣＰＵ３０ａは、大当り遊技を終了させる。
【００５４】
次に、演出制御基板３１の演出制御用ＣＰＵ３１ａが演出制御プログラムに基づき実行する各種処理について説明する。主制御用ＣＰＵ３０ａから所定の制御コマンドを所定のタイミングで入力すると、演出制御用ＣＰＵ３１ａは、それに応じて各種処理を実行する。
【００５５】
例えば、演出制御用ＣＰＵ３１ａは、特別図柄指定コマンドを入力すると、当該特別図柄指定コマンドにより指定された最終停止図柄に基づき、メイン演出表示装置１３ａに停止表示させる飾り図柄による図柄組み合わせを決定する。
【００５６】
すなわち、演出制御用ＣＰＵ３１ａは、特別図柄指定コマンドにより指定された最終停止図柄が大当り図柄である場合には、大当りの図柄組み合わせを決定する。また、演出制御用ＣＰＵ３１ａは、指定された最終停止図柄が、はずれ図柄の場合、はずれの図柄組み合わせを決定する。
【００５７】
そして、演出制御用ＣＰＵ３１ａは、変動パターン指定コマンドを入力すると、当該変動パターン指定コマンドにより指定された変動パターンに基づき、飾り図柄変動ゲーム等の表示演出を実行させるようにメイン演出表示装置１３ａを制御する。その後、演出制御用ＣＰＵ３１ａは、全図柄停止コマンドを入力すると、飾り図柄変動ゲームを終了させると共に、決定した図柄組み合わせを表示させる。
【００５８】
次に、図２に基づき、本実施形態におけるサブ演出表示装置１３ｂの表示内容について説明する。
演出制御用ＣＰＵ３１ａは、主制御用ＣＰＵ３０ａから保留情報を示す保留指定コマンドを入力すると、当該保留指定コマンドに基づき、保留情報をサブ演出表示装置１３ｂに表示させる。具体的には、サブ演出表示装置１３ｂは、保留記憶数を示す保留表示画像Ｋ１〜Ｋ４を表示している。保留表示画像Ｋ１〜Ｋ４は、「○」型の表示態様をしている。そして、保留記憶数に応じた数の保留表示画像Ｋ１〜Ｋ４が、サブ演出表示装置１３ｂの表示領域に表示される。
【００５９】
また、保留表示画像Ｋ１〜Ｋ４のうち、一番左端に表示される保留表示画像Ｋ１が、保留中の変動ゲームのうち、１番最初に実行される（次に実行される）変動ゲームに対応する。同様に、左端から２番目に表示される保留表示画像Ｋ２が、保留中の変動ゲームのうち、２番目に実行される変動ゲームに対応し、左端から３番目に表示される保留表示画像Ｋ３が、３番目に実行される変動ゲームに対応し、左端から４番目に表示される保留表示画像Ｋ４が、４番目に実行される変動ゲームに対応する。
【００６０】
そして、演出制御用ＣＰＵ３１ａは、第１保留情報を示す保留指定コマンドを入力する毎に、当該保留指定コマンドにより指定された保留記憶数に基づき、保留表示画像Ｋ１〜Ｋ４の数が増減するように表示させる。
【００６１】
また、本実施形態において、メイン演出表示装置１３ａでは、操作ボタンＢＴの操作を促す（要求する）第１ボタン演出を実行可能に構成されている。第１ボタン演出の要求に従って、操作ボタンＢＴを操作すると、その演出結果として、特別図柄変動ゲーム（及びそれに基づく飾り図柄変動ゲーム）が大当りとなる可能性を示唆する大当り予告が実行される。ここで、第１ボタン演出の制御について詳しく説明する。
【００６２】
演出制御用ＣＰＵ３１ａは、変動パターン指定コマンドを入力すると、第１ボタン演出を実行させるか否かを判定する。この判定において、演出制御用ＣＰＵ３１ａは、所定確率で、第１ボタン演出を実行させると判定する。
【００６３】
この判定結果が肯定の場合、演出制御用ＣＰＵ３１ａは、変動パターンに基づき、第１ボタン演出の演出結果となる大当り予告の演出内容を決定する。なお、大当り予告の演出内容は、変動パターンにより特定される演出内容毎の大当り期待度に応じて、その内容が決定されるようになっている。すなわち、大当り予告の演出内容により、実行中の変動ゲームの大当り期待度を認識できるようになっている。
【００６４】
また、演出制御用ＣＰＵ３１ａは、第１ボタン演出の演出態様を２種類のボタン演出パターンの中から決定する。本実施形態においては、ボタン演出パターンとして、操作ボタンＢＴを１回押すことを要求する演出態様を特定するボタン演出パターンと、操作ボタンＢＴを１０回押すことを要求する演出態様を特定するボタン演出パターンが存在する。
【００６５】
なお、１回あたり操作ボタンＢＴを押す時間は、何秒であっても構わない。また、ボタン演出の演出態様とは、操作ボタンＢＴの操作を要求する際の演出態様のことを指し、具体的には、メイン演出表示装置１３ａ（又はサブ演出表示装置１３ｂ）に表示される際の表示態様や、要求する操作ボタンＢＴの操作態様（操作回数、押下操作時間、操作有効期間）のことである。また、操作ボタンＢＴの操作を要求する際の演出態様は、遊技者にその違いが認識できるような態様である必要がある。例えば、操作回数に違いがあれば、その操作回数の違いが分かるように演出態様を異ならせる必要がある。
【００６６】
そして、２種類のボタン演出パターンの中から抽選によりいずれか一方を決定すると、演出制御用ＣＰＵ３１ａは、変動ゲーム中に、決定したボタン演出パターンに基づく演出態様の第１ボタン演出を実行させる。
【００６７】
具体的には、操作ボタンＢＴを１回押すことを要求する演出態様を特定するボタン演出パターンを決定した場合、演出制御用ＣＰＵ３１ａは、メイン演出表示装置１３ａに、操作ボタンＢＴを１回押すことを要求する演出態様で第１ボタン演出を表示させると共に、操作ボタンＢＴの操作有効期間を設定する。また、演出制御用ＣＰＵ３１ａは、ボタン演出パターンに基づき、第１ボタン演出の演出結果を表示させるために必要な回数を示す必要操作回数として「１」を演出制御用ＲＡＭ３１ｃに設定する。
【００６８】
これにより、図５（ａ）に示すように、メイン演出表示装置１３ａは、飾り図柄変動ゲーム中に、操作ボタンＢＴを１回押すことを要求する画像Ｇ１（「１回押せ！」の文字列を示した画像）と、操作有効期間を示す画像Ｍ１（メーターを模した画像）を表示する。そして、演出制御用ＣＰＵ３１ａは、第１ボタン演出の操作有効期間中に、ボタン検知信号を１回入力すると、第１ボタン演出の必要操作回数から１減算する。
【００６９】
この結果、図５（ｂ）に示すように、第１ボタン演出の必要操作回数が「０」となるため、演出制御用ＣＰＵ３１ａは、決定された大当り予告の演出内容に基づき、飾り図柄変動ゲームが大当りとなる可能性を示唆する画像（キャラクタ画像など）をメイン演出表示装置１３ａに表示（報知）させる。なお、操作ボタンＢＴが１回操作された場合、演出制御用ＣＰＵ３１ａは、第１ボタン演出における操作有効期間を終了させる。
【００７０】
一方、操作ボタンＢＴを１０回押すことを要求する演出態様のボタン演出パターンを決定した場合、演出制御用ＣＰＵ３１ａは、メイン演出表示装置１３ａに、操作ボタンＢＴを１０回押すことを要求する演出態様で第１ボタン演出を表示させると共に、操作ボタンＢＴの操作有効期間を設定する。また、演出制御用ＣＰＵ３１ａは、ボタン演出パターンに基づき、第１ボタン演出の演出結果を表示させるために必要な回数を示す必要操作回数として「１０」を演出制御用ＲＡＭ３１ｃに設定する。
【００７１】
これにより、図５（ｃ）に示すように、メイン演出表示装置１３ａは、飾り図柄変動ゲーム中に、操作ボタンＢＴを１０回押すことを要求する画像Ｇ２（「１０回押せ！」の文字列を示した画像）と、操作有効期間を示す画像Ｍ２（メーターを模した画像）を表示する。
【００７２】
そして、演出制御用ＣＰＵ３１ａは、第１ボタン演出の操作有効期間中に、ボタン検知信号を入力する毎に、第１ボタン演出の必要操作回数から１減算する。そして、演出制御用ＣＰＵ３１ａは、第１ボタン演出の操作有効期間中に、ボタン検知信号を１０回入力すると、第１ボタン演出の必要操作回数を「０」とする。
【００７３】
この結果、図５（ｄ）に示すように、演出制御用ＣＰＵ３１ａは、決定された大当り予告の演出内容に基づき、飾り図柄変動ゲームが大当りとなる可能性を示唆する画像（キャラクタ画像など）をメイン演出表示装置１３ａに表示（報知）させる。なお、操作ボタンＢＴが１０回押された場合、演出制御用ＣＰＵ３１ａは、第１ボタン演出における操作有効期間を終了させる。
【００７４】
また、本実施形態において、サブ演出表示装置１３ｂでも、操作ボタンＢＴの操作を促す（要求する）第２ボタン演出を実行可能に構成されている。第２ボタン演出の要求に従って、操作ボタンＢＴを操作すると、その演出結果として、実行が保留された変動ゲームが大当りとなる可能性を示唆するように、保留表示画像の表示態様を変化させる保留変化予告が実行される。以下、第２ボタン演出を実行するための制御について詳しく説明する。
【００７５】
特別図柄入力処理が終了したとき、主制御用ＣＰＵ３０ａは、実行が保留されている変動ゲームの数を指定すると共に、保留された変動ゲームの変動パターンを事前に判定し、その内容を指示する事前判定処理を実行する。ここで、事前判定処理について詳しく説明する。
【００７６】
主制御用ＣＰＵ３０ａは、事前判定処理の直前に実行された特別図柄入力処理において、変動ゲームに係わる各種乱数の値を記憶した場合、すなわち、変動ゲームの実行を保留した場合、（保留後の）保留記憶数を特定する。また、主制御用ＣＰＵ３０ａは、事前判定処理の直前に実行された特別図柄入力処理において記憶された当り判定用乱数の値に基づき、新たに保留された（最新の）変動ゲームが大当りとなるか否かについて判定する。
【００７７】
この判定結果が肯定の場合（大当りとなる場合）、主制御用ＣＰＵ３０ａは、事前判定処理の直前に実行された特別図柄入力処理において記憶された変動パターン振分用乱数の値に基づき、新たに保留された（最新の）変動ゲームの演出時間等を特定する変動パターンを大当り変動パターンの中から事前に特定する。そして、主制御用ＣＰＵ３０ａは、特定した変動パターンに基づき、変動ゲームの演出内容を事前に特定する。
【００７８】
一方、記憶された当り判定用乱数の値が大当り判定値と一致しない場合（はずれの場合）、主制御用ＣＰＵ３０ａは、事前判定処理の直前に実行された特別図柄入力処理において記憶された変動パターン振分用乱数の値に基づき、新たに保留された（最新の）変動ゲームの演出時間等を特定する変動パターンをはずれ変動パターンの中から事前に特定する。そして、主制御用ＣＰＵ３０ａは、特定した変動パターンに基づき、変動ゲームの演出内容を事前に特定する。
【００７９】
そして、主制御用ＣＰＵ３０ａは、特定した保留記憶数及び新たに保留された変動ゲームに関するゲーム情報を指定する事前判定コマンドを出力する。この事前判定コマンドにより、大当りの有無だけではなく、演出内容についても特定可能な情報が指定されるようになっている。
【００８０】
演出制御用ＣＰＵ３１ａは、事前判定コマンドを入力すると、当該事前判定コマンドにより指定された新たに保留された変動ゲームに関するゲーム情報を演出制御用ＲＡＭ３１ｃに記憶する。なお、指定された保留記憶数に基づき、記憶順序（すなわち、実行順序）を特定できるように当該ゲーム情報は記憶される。
【００８１】
また、演出制御用ＣＰＵ３１ａは、変動パターン指定コマンドを入力する毎に、演出制御用ＲＡＭ３１ｃに記憶されているゲーム情報を更新する。具体的には、変動パターンを指定する変動パターン指定コマンドを入力した場合、演出制御用ＣＰＵ３１ａは、最も早く記憶された保留記憶数「１」に対応するゲーム情報を消去する。
【００８２】
次に、第２ボタン演出を実行させる際の処理について説明する。
演出制御用ＣＰＵ３１ａは、事前判定コマンドを入力すると、第２ボタン演出を実行させるか否かを判定する。この判定において、演出制御用ＣＰＵ３１ａは、所定確率で、第２ボタン演出を実行させると判定する。
【００８３】
この判定結果が肯定の場合、演出制御用ＣＰＵ３１ａは、事前判定コマンドにより指定される変動ゲームに関するゲーム情報に基づき、第２ボタン演出の演出結果となる保留変化予告の演出内容を決定する。なお、保留変化予告の演出内容は、指定される変動ゲームに関するゲーム情報に応じて、決定されるようになっている。すなわち、保留変化予告の演出内容により保留される変動ゲームの大当り期待度が認識されるように、保留変化予告の演出内容が決定される。
【００８４】
例えば、大当りの場合であって、変動ゲームの演出内容が特別な演出内容（例えば、大当り確定演出）である場合には、表示色を通常色（白色）から金色に変化させる演出内容を保留変化予告の演出内容として決定するようになっている。また、大当りの有無にかかわらず、変動ゲームの演出内容が特別な演出内容とは異なる所定の演出内容（例えば、リーチ演出）である場合には、表示色を通常色（白色）から赤色に変化させる演出内容を保留変化予告の演出内容として決定するようになっている。
【００８５】
そして、演出制御用ＣＰＵ３１ａは、保留されたことを契機に、サブ演出表示装置１３ｂに、操作ボタンＢＴを予め決められた複数回（本実施形態では、５回）の操作を要求する演出態様の第２ボタン演出を表示させると共に、操作ボタンＢＴの操作有効期間を設定する。つまり、演出制御用ＣＰＵ３１ａは、サブ演出表示装置１３ｂに、新たに保留される変動ゲームに対応する保留表示画像を通常色（白色）で表示させると共に５回の操作を要求する演出態様の第２ボタン演出を表示させる。
【００８６】
これにより、図５（ｅ）に示すように、サブ演出表示装置１３ｂは、変動ゲーム中に、操作ボタンＢＴを５回操作することを要求する画像Ｇ３（「５回押せ！」の文字列を示した画像）と、操作有効期間を示す画像Ｍ３（メーターを模した画像）を表示する。また、演出制御用ＣＰＵ３１ａは、第２ボタン演出の演出結果を表示させるために必要な回数を示す必要操作回数として「５」を演出制御用ＲＡＭ３１ｃに設定する。
【００８７】
そして、演出制御用ＣＰＵ３１ａは、第２ボタン演出の操作有効期間中に、ボタン検知信号を入力する毎に、第２ボタン演出の必要操作回数から１減算する。そして、演出制御用ＣＰＵ３１ａは、操作有効期間中に、ボタン検知信号を５回入力すると、第２ボタン演出の必要操作回数を「０」とする。
【００８８】
その結果、図５（ｆ）に示すように、演出制御用ＣＰＵ３１ａは、決定された保留変化予告の演出内容に基づき、サブ演出表示装置１３ｂに表示された保留表示画像Ｋ１〜Ｋ４の表示態様を変更して、保留変化予告を表示（報知）させる。その際、演出制御用ＣＰＵ３１ａは、保留表示画像Ｋ１〜Ｋ４のうち、事前判定コマンドにより指定された保留記憶数に対応する（又は対応していた）保留表示画像Ｋ１〜Ｋ４の表示態様を変更する。なお、表示色を変更する保留表示画像Ｋ１〜Ｋ４は、事前判定コマンド入力後に変動ゲームが開始されていない場合（変動パターン指定コマンドを入力していない場合）には、事前判定コマンドが指定する保留記憶数に対応する保留表示画像Ｋ１〜Ｋ４である。一方、事前判定コマンド入力後に１又は複数回変動ゲームが開始された場合には、指定する保留記憶数から開始された変動ゲーム数分減算した保留記憶数に対応する保留表示画像Ｋ１〜Ｋ４である。
【００８９】
例えば、保留記憶数「３」を指定する事前判定コマンドを入力しており、新たな変動パターン指定コマンドを入力していない場合には、演出制御用ＣＰＵ３１ａは、保留記憶数「３」に対応する保留表示画像Ｋ３の表示態様を変更する。また、保留記憶数「３」を指定する事前判定コマンドを入力しており、新たな変動パターン指定コマンドを１回入力した場合には、演出制御用ＣＰＵ３１ａは、保留記憶数「２」に対応する保留表示画像Ｋ２の表示態様を変更する。なお、操作ボタンＢＴが操作された場合、演出制御用ＣＰＵ３１ａは、第２ボタン演出における操作有効期間を終了させる。
【００９０】
そして、本実施形態では、第１ボタン演出の実行契機（変動ゲームの開始時）と、第２ボタン演出の実行契機（変動ゲームの保留時）が同時期となる可能性があることから、第１ボタン演出の実行と、第２ボタン演出の実行が重複しうる。すなわち、第１ボタン演出における操作有効期間と、第２ボタン演出の操作有効期間が重複する場合がある。
【００９１】
この場合であっても、演出制御用ＣＰＵ３１ａは、各ボタン演出毎の操作有効期間内に、要求した操作ボタンＢＴの操作が行われれば、各ボタン演出の演出結果を表示させるようになっている。すなわち、いずれかのボタン演出の表示や演出結果の表示を規制することはない。なお、操作有効期間が重複している場合には、当該重複した操作有効期間内で行われた操作ボタンＢＴの操作は、各ボタン演出について有効とされるようになっている。つまり、重複している場合であっても、第１ボタン演出の操作有効期間において第１ボタン演出で要求された操作が行われた場合には、第１ボタン演出の演出結果を表示させる。同様に、重複している場合であっても、第２ボタン演出の操作有効期間において第２ボタン演出で要求された操作が行われた場合には、第２ボタン演出の演出結果を表示させる。
【００９２】
ここで、第１ボタン演出における操作有効期間と、第２ボタン演出における操作有効期間が重複する場合における処理について説明する。
操作有効期間が重複したときに、演出制御用ＣＰＵ３１ａは、操作ボタンＢＴが操作されたことを示すボタン検知信号を１回入力すると、第１ボタン演出の必要操作回数と、第２ボタン演出の必要操作回数からそれぞれ１減算する。
【００９３】
そして、第１ボタン演出の必要操作回数が「０」となった場合、演出制御用ＣＰＵ３１ａは、第１ボタン演出に応じた演出結果、すなわち、大当り予告をメイン演出表示装置１３ａに表示させる。大当り予告をメイン演出表示装置１３ａに表示させた場合、演出制御用ＣＰＵ３１ａは、第１ボタン演出の操作有効期間を終了し、第１ボタン演出を終了させる。
【００９４】
一方、第２ボタン演出の必要操作回数が「０」となった場合、演出制御用ＣＰＵ３１ａは、第２ボタン演出に応じた演出結果、すなわち、保留変化予告をサブ演出表示装置１３ｂに表示させる。保留変化予告をサブ演出表示装置１３ｂに表示させた場合、演出制御用ＣＰＵ３１ａは、第２ボタン演出の操作有効期間を終了し、第２ボタン演出を終了させる。
【００９５】
次に、図６に基づき、第１ボタン演出における操作有効期間と、第２ボタン演出における操作有効期間が重複した場合における演出態様及びその作用について説明する。
図６では、第１の変動ゲームの開始を契機に実行される第１ボタン演出と、変動ゲームの保留を契機に実行される第２ボタン演出が共に実行されるものとして説明する。また、変動ゲームの開始を契機に保留記憶数が「３」から「２」に減算されると共に、変動ゲームの保留を契機に保留記憶数が「２」から「３」に増加されるものとする。第１ボタン演出における操作有効期間と、第２ボタン演出における操作有効期間は、重複するものとして説明する。また、図６において、第１ボタン演出の演出態様は、操作ボタンＢＴの操作を１回要求する演出態様であるものとする。また、重複する前において、操作ボタンＢＴは操作されていないものとする。
【００９６】
図６（ａ）に示すように、変動ゲーム中に、第１ボタン演出が実行され、第１ボタン演出における操作有効期間が設定されると共に、第１ボタン演出の必要操作回数として「１」が設定される。これにより、メイン演出表示装置１３ａでは、変動ゲーム中に、操作ボタンＢＴの操作を１回要求する画像Ｇ１と、第１ボタン演出における操作有効期間を示す画像Ｍ１が表示される。それと同期間において、変動ゲームの保留を契機に、第２ボタン演出が実行され、第２ボタン演出における操作有効期間が設定されると共に、第２ボタン演出の必要操作回数として「５」が設定される。これにより、サブ演出表示装置１３ｂでは、操作ボタンＢＴの操作を５回要求する画像Ｇ３と、第２ボタン演出における操作有効期間を示す画像Ｍ３が表示される。また、前提より、第１ボタン演出における操作有効期間と、第２ボタン演出における操作有効期間は、重複する。
【００９７】
このとき、遊技者が操作ボタンＢＴを１回操作すると、前述したように、第１ボタン演出における必要操作回数と、第２ボタン演出における必要操作回数からそれぞれ１減算される。これにより、第１ボタン演出における必要操作回数が「０」となり、第２ボタン演出における必要操作回数が「４」となる。この結果、演出制御用ＣＰＵ３１ａは、第１ボタン演出に応じた演出結果を表示（報知）させる。
【００９８】
すなわち、図６（ｂ）に示すように、メイン演出表示装置１３ａにおいて、実行中の変動ゲームの大当り期待度を示す大当り予告が表示される。そして、第１ボタン演出における操作有効期間が終了し、第１ボタン演出が終了する。なお、第１ボタン演出の操作有効期間が終了した後、第２ボタン演出の操作有効期間は継続して設定される。
【００９９】
その後、第２ボタン演出の操作有効期間中に、操作ボタンＢＴがさらに４回操作され、第２ボタン演出の必要操作回数が「０」となった場合、演出制御用ＣＰＵ３１ａは、第２ボタン演出の演出結果を表示させる。
【０１００】
すなわち、図６（ｃ）に示すように、サブ演出表示装置１３ｂにおいて、新たに保留された変動ゲーム（すなわち、保留記憶数「３」に対応する保留表示画像）の表示態様を変化させる保留変化予告が表示（報知）される。
【０１０１】
次に、図７に基づき、第１ボタン演出における操作有効期間と、第２ボタン演出における操作有効期間が重複した場合における演出態様及びその作用について説明する。
図７では、第１の変動ゲームの開始を契機に実行される第１ボタン演出と、変動ゲームの保留を契機に実行される第２ボタン演出が共に実行されるものとして説明する。また、変動ゲームの開始を契機に保留記憶数が「３」から「２」に減算されると共に、変動ゲームの保留を契機に保留記憶数が「２」から「３」に増加されるものとする。第１ボタン演出における操作有効期間と、第２ボタン演出における操作有効期間は、重複するものとして説明する。また、図７において、第１ボタン演出の演出態様は、操作ボタンＢＴの操作を１０回要求する演出態様であるものとする。また、重複する前において、操作ボタンＢＴは操作されていないものとする。
【０１０２】
図７（ａ）に示すように、変動ゲーム中に、第１ボタン演出が実行され、第１ボタン演出における操作有効期間が設定されると共に、第１ボタン演出の必要操作回数として「１０」が設定される。これにより、メイン演出表示装置１３ａでは、変動ゲーム中に、操作ボタンＢＴの操作を１０回要求する画像Ｇ２と、第１ボタン演出における操作有効期間を示す画像Ｍ２が表示される。それと同期間において、変動ゲームの保留を契機に、第２ボタン演出が実行され、第２ボタン演出における操作有効期間が設定されると共に、第２ボタン演出の必要操作回数として「５」が設定される。これにより、サブ演出表示装置１３ｂでは、操作ボタンＢＴの操作を５回要求する画像Ｇ３と、第２ボタン演出における操作有効期間を示す画像Ｍ３が表示される。また、前提より、第１ボタン演出における操作有効期間と、第２ボタン演出における操作有効期間は、重複する。
【０１０３】
このとき、遊技者が操作ボタンＢＴを１回操作する毎に、前述したように、第１ボタン演出における必要操作回数と、第２ボタン演出における必要操作回数からそれぞれ１減算される。そして、操作有効期間中に、遊技者により操作ボタンＢＴが５回操作すると、第１ボタン演出における必要操作回数が「５」となり、第２ボタン演出における必要操作回数が「０」となる。この結果、演出制御用ＣＰＵ３１ａは、第２ボタン演出に応じた演出結果を表示（報知）させる。
【０１０４】
すなわち、図７（ｂ）に示すように、サブ演出表示装置１３ｂにおいて、新たに保留された変動ゲーム（すなわち、保留記憶数「３」に対応する保留表示画像Ｋ３）の表示態様を変化させる保留変化予告が表示（報知）される。そして、第２ボタン演出における操作有効期間が終了し、第２ボタン演出が終了する。なお、第２ボタン演出の操作有効期間が終了した後、第１ボタン演出の操作有効期間は継続して設定される。
【０１０５】
その後、当該第１ボタン演出の操作有効期間中に、操作ボタンＢＴがさらに５回操作され、第１ボタン演出の必要操作回数が「０」となった場合、演出制御用ＣＰＵ３１ａは、第１ボタン演出の演出結果を表示させる。
【０１０６】
すなわち、図７（ｃ）に示すように、メイン演出表示装置１３ａにおいて、実行中の変動ゲームの大当り期待度を示す大当り予告が表示される。
以上詳述したように、本実施形態は、以下の効果を有する。
【０１０７】
（１）同時期に複数種類のボタン演出（操作演出）が表示されたとき、いずれかのボタン演出により要求される操作ボタンＢＴの操作が行われた場合には、当該要求を満たしたボタン演出に応じた演出結果が報知される。すなわち、第１ボタン演出の操作有効期間と、第２ボタン演出の操作有効期間が重複したとき、各ボタン演出毎に、要求した操作ボタンＢＴの操作が満たされたか否かを判定し、満たされた場合には、それぞれボタン演出の演出結果を表示させた。このように、いずれかのボタン演出により要求された操作が操作ボタンＢＴにより行われることにより、当該要求が満たされたボタン演出に応じた演出結果が報知されるため、同時期に複数のボタン演出が実行されたとしても、遊技者が選択したボタン演出に対応する操作ボタンＢＴの操作を行えば、当該操作に応じたボタン演出の演出結果が表示される。このため、どのボタン演出に対応する操作を行えばよいか認識する必要が無くなり、メイン演出表示装置１３ａとサブ演出表示装置１３ｂにそれぞれボタン演出を同時期に表示させたとしても、混乱させることはない。すなわち、遊技者が注目したボタン演出の操作を行うことにより、当該ボタン演出の演出結果を表示させることができる。また、複数種類のボタン演出を同時期に表示させることができ、ボタン演出の機会を増やすことができる。また、ボタン演出を規制する場合と異なり、表示可能な全てのボタン演出を表示させ、当該ボタン演出に対応する演出結果を表示させることができる。以上のことから、ボタン演出の機会を増やし、ボタン演出に対する操作や、要求が満たされたボタン演出の演出結果について混乱させることがないため、各ボタン演出の興趣を向上することができる。
【０１０８】
（２）同時期に、異なる表示領域において、異なるボタン演出をそれぞれ表示可能に構成した。つまり、同時期にメイン演出表示装置１３ａに第１ボタン演出を表示させ、サブ演出表示装置１３ｂに第２ボタン演出を表示させることができるように構成した。このため、複数のボタン演出が同時期に表示されたことを遊技者に認識させやすくなる。また、第１ボタン演出の演出結果は、メイン演出表示装置１３ａに表示させ、第２ボタン演出の演出結果は、サブ演出表示装置１３ｂに表示させた。このように、ボタン演出とその演出結果を、同じ表示領域に表示させたため、ボタン演出と、その演出結果の対応関係を明確に理解できる。
【０１０９】
（３）複数のボタン演出が同時に表示された場合、いずれかのボタン演出により要求される操作ボタンＢＴの操作が行われることにより、それ以外の他のボタン演出により要求される操作ボタンＢＴの操作も満たすことが可能に構成されている。すなわち、操作有効期間が重複した場合において、操作ボタンＢＴを操作することにより、第１ボタン演出と第２ボタン演出の要求を同時にそれぞれ満たしていくことができる。具体的には、操作ボタンＢＴを操作する毎に、第１ボタン演出の必要操作回数と、第２ボタン演出の必要操作回数がそれぞれ減算することができる。このため、同時期に表示された各ボタン演出の演出結果を見るために、操作ボタンＢＴの操作の手間を少なくすることができる。また、同時に複数のボタン演出により要求される操作ボタンＢＴの操作を満たすことができる。また、各ボタン演出により要求される操作ボタンＢＴの操作をそれぞれ満たす必要があるため、遊技者に要求された操作を達成したと実感を持たせることができる。
【０１１０】
（４）メイン演出表示装置１３ａと、サブ演出表示装置１３ｂは、別体であるため、同時期にそれぞれボタン演出を表示させる場合に、それぞれボタン演出が表示されたことをより認識させやすくすることができる。
【０１１１】
なお、上記実施形態は、次のような別の実施形態（別例）にて具体化できる。
・上記実施形態において、操作ボタンＢＴが操作されたことを示すボタン検知信号は、演出制御基板３１に入力されていたが、主制御基板３０に入力されてもよい。この場合、主制御基板３０が、入力したボタン検知信号を演出制御基板３１に出力しても良く、また、主制御基板３０が、演出制御基板３１に代わって、操作ボタンＢＴに係わるボタン演出の制御を実行しても良い。
【０１１２】
・上記実施形態では、パチンコ遊技機に採用したが、パチンコ式スロットマシン（回胴式遊技機、以下、スロット）にて実現させても良い。なお、スロットは、遊技者が開始操作手段（スタートレバー）の操作を行うことを契機に、図柄が配列された複数の回動体（リール）が変動開始すると共に、変動ゲームの当否に関連した当否判定を行うものである。そして、スロットでは、リールの回転後、各リールに対応して設けられた停止操作手段（ストップボタン）の操作を契機に、当否判定に基づく図柄停止処理が実行され、停止した図柄の組み合わせにより遊技価値（賞メダルなど）が付与されるものである。
【０１１３】
また、スロットに採用した場合、メイン演出表示装置１３ａ及びサブ演出表示装置１３ｂにおいて必ずしも、飾り図柄変動ゲームを実行させる必要はなく、当否判定の結果を示唆する演出表示を行っていればよい。また、スロットに採用する場合において、ボタン演出の演出結果は、遊技者に有利な特定状態が付与される可能性や、付与される期間などを示唆する演出にしてもよい。なお、スロットにおける特定状態とは、例えば、所定の当否判定の結果（所定の成立役）が成立しやすくなる状態（所謂、リプレイタイムなど）や、所定の図柄組み合わせ（遊技価値を付与する所定の組み合わせ）を停止させやすくする状態（所謂、アシストタイムなど）のことである。
【０１１４】
・上記実施形態において、各ボタン演出において要求する操作回数をそれぞれ変更しても良い。例えば、第１ボタン演出において要求する操作回数は、１回又は５回としたが、回数を任意に変更しても良い。
【０１１５】
・上記実施形態において、ボタン演出において操作ボタンＢＴの操作を要求する際の操作態様を変更しても良い。例えば、操作ボタンＢＴの操作を要求する押下操作時間（押し続ける時間、所謂長押し時間）を異ならせても良い。例えば、第１ボタン演出において３秒間継続して操作することを要求する一方、第２ボタン演出において５秒間継続して操作することを要求してもよい。この場合、重複する操作有効期間において、操作ボタンＢＴが操作された場合には、それぞれ要求する押下操作時間が満たされていくようにすればよい。すなわち、重複する操作有効期間において、操作ボタンＢＴが３秒操作された場合には、第１ボタン演出に対する演出結果を表示すればよい。そして、第１ボタン演出の操作有効期間の終了後、さらに操作ボタンＢＴが２秒操作された場合には、第２ボタン演出に対する演出結果を表示すればよい。
【０１１６】
・上記実施形態において、操作有効期間を異ならせても良い。
・上記実施形態では、操作を要求する際のボタン演出の表示態様を、任意に変更しても良い。例えば、遊技者に有利な特別有利状態が付与される期待度に応じて変更しても良い。
【０１１７】
・上記実施形態において、操作ボタンＢＴの操作を要求する際のボタン演出の演出態様を、一方は複数回の操作を要求する演出態様とし、他方を所定時間の押下操作時間を要求する演出態様としてもよい。この場合も同様に、複数回の操作が行われた場合には、複数回の操作を要求する操作演出の演出結果を表示させ、所定時間の操作が継続して行われた場合には、所定時間の押下操作時間を要求する操作演出の演出結果を表示させればよい。
【０１１８】
・上記実施形態において、ボタン演出の演出態様として、予め決められた選択期間内において変動ゲームの演出内容を選択する操作を要求する態様としても良い。この場合も同様に、選択期間内において演出内容を選択する操作が行われた場合には、選択期間内において変動ゲームの演出内容を選択する操作を要求する操作演出の演出結果を表示させればよい。
【０１１９】
・上記実施形態において、メイン演出表示装置１３ａに表示される第１ボタン演出の演出態様は、２種類用意されていたが、１種類でも良く、３種類以上でも良い。また、サブ演出表示装置１３ｂに表示される第２ボタン演出の演出態様として、複数種類用意してもよい。
【０１２０】
・上記実施形態において、操作を要求する際におけるボタン演出の演出態様の出現率を異ならせてもよい。
・上記実施形態において、操作を要求する際におけるボタン演出の演出態様が、遊技者に有利な特別有利状態が付与されることを示すようにしてもよい。
【０１２１】
・上記実施形態において、操作を要求する際におけるボタン演出の表示態様の大きさを複数種類用意しても良い。
・上記実施形態において、メイン演出表示装置１３ａ及びサブ演出表示装置１３ｂの表示内容（各表示領域に表示させる画像）を任意に変更しても良い。例えば、上記実施形態において、メイン演出表示装置１３ａに、飾り図柄変動ゲームを表示させ、サブ演出表示装置１３ｂには、保留情報を表示させたが、逆にしても良い。すなわち、メイン演出表示装置１３ａに保留情報を表示させ、サブ演出表示装置１３ｂに変動ゲームを表示させても良い。また、サブ演出表示装置１３ｂに、遊技に関する各種情報、例えば、演出の名称、大当り回数、獲得賞球数、変動ゲーム回数などを表示させても良い。
【０１２２】
・上記実施形態において、第１ボタン演出の実行契機は、変動ゲームの開始時だったが、第１ボタン演出と第２ボタン演出が同時に実行可能であれば、任意に変更しても良い。例えば、遊技球が始動センサＳＥ１又はカウントセンサＳＥ３等の各種センサに検知されたことを契機にしても良く、変動ゲームが新たに保留されたことを契機にしても良い。また、大当り遊技、又は大入賞口扉１９を契機にしても良い。大当り遊技の所定のラウンド遊技の開始を契機にしても良い。
【０１２３】
・上記実施形態において、第２ボタン演出の実行契機は、新たな変動ゲームの保留時だったが、第１ボタン演出と第２ボタン演出が同時に実行可能であれば、任意に変更しても良い。例えば、変動ゲームの開始や、所定の遊技演出の開始を契機にしても良く、遊技球が始動センサＳＥ１又はカウントセンサＳＥ３等の各種センサに検知されたことを契機にしても良い。また、大当り遊技、又は大入賞口扉１９の開放を契機にしても良い。大当り遊技の所定のラウンド遊技の開始を契機にしても良い。
【０１２４】
・上記実施形態において、第１ボタン演出に応じた演出結果は、実行中の変動ゲームの大当り期待度を示唆する大当り予告であったが、任意に変更しても良い。例えば、保留中の変動ゲームの大当りの有無や演出内容を示唆する保留変化予告であってもよく、大当り確率が通常確率よりも高確率となる確変状態が付与されていること（又は付与されること）を示唆する示唆演出、大当り遊技の種類（ラウンド数など）を示唆する演出などであってもよい。また、始動入賞口１４への遊技球の入球確率が通常よりも高確率となる入球率向上状態の付与回数を示唆する演出であってもよい。また、確変状態や入球率向上状態など遊技者に有利な特定状態が付与されていること、若しくは付与回数などを示唆する演出であってもよい。また、所定の画像を表示させること、又は所定の音声を出力させるといった単純な演出であっても良い。
【０１２５】
・上記実施形態において、第２ボタン演出に応じた演出結果は、保留中の変動ゲームの大当りの有無や演出内容を示唆する保留変化予告であったが、任意に変更しても良い。例えば、実行中の変動ゲームの大当り期待度を示唆する大当り予告であってもよく、大当り確率が通常確率よりも高確率となる確変状態が付与されていること（又は付与されること）を示唆する示唆演出、大当り遊技の種類（ラウンド数など）を示唆する演出などであってもよい。また、始動入賞口１４への遊技球の入球確率が通常よりも高確率となる入球率向上状態の付与回数を示唆する演出であってもよい。また、確変状態や入球率向上状態など遊技者に有利な特定状態が付与されていること、若しくは付与回数などを示唆する演出であってもよい。また、所定の画像を表示させること、又は所定の音声を出力させるといった単純な演出であっても良い。
【０１２６】
・上記実施形態において、メイン演出表示装置１３ａと、サブ演出表示装置１３ｂは、別の装置にて構成したが、表示領域が区別されているのであれば、１つの演出表示装置としてもよい。
【０１２７】
・上記実施形態において、メイン演出表示装置１３ａの表示領域は、サブ演出表示装置１３ｂの表示領域よりも広く構成したが、同じでもよく、また、狭く構成しても良い。
・上記実施形態において、第１ボタン演出は、第２ボタン演出よりも大きく表示したが、同じ大きさで表示しても良く、また、小さく表示しても良い。
【０１２８】
・上記実施形態において、事前判定コマンドに、新たに保留された変動ゲームの演出内容を特定する情報を含ませたが、含ませなくても良い。つまり、保留された変動ゲームが大当りとなるか否かの情報と、保留記憶数を指定するだけでもよい。この場合、第２ボタン演出に応じた演出結果（保留変化予告）の演出内容は、大当りの有無に基づき決定すればよい。
【０１２９】
・上記実施形態において、事前判定コマンドに、リーチ演出の有無を特定する情報を含ませても良い。この場合、リーチ演出の有無は、主制御用ＣＰＵ３０ａにより、リーチ判定用乱数などに基づき、事前判定するように構成しても良い。
【０１３０】
・上記実施形態では、付与される大当り遊技の種類が異なる２種類の特別図柄変動ゲームを実行可能に構成しても良い。
・上記実施形態において、同時に複数のボタン演出を表示させる場合、新たに表示させるボタン演出が要求する操作態様を、先に表示されていたボタン演出が要求する操作態様と、同じに変更しても良い。例えば、操作ボタンＢＴの操作を１回要求する第１ボタン演出が実行されているときに、第２ボタン演出の表示が可能となった場合、操作ボタンＢＴの操作を５回要求するのではなく、第１ボタン演出と同じように、第２ボタン演出において操作ボタンＢＴの操作を１回要求するようにしてもよい。同様に、操作ボタンＢＴの操作を１０回要求する第１ボタン演出が実行されているときに、第２ボタン演出の表示が可能となった場合、第１ボタン演出と同じように、第２ボタン演出において操作ボタンＢＴの操作を１０回要求するようにしてもよい。これにより、第１ボタン演出と、第２ボタン演出が要求する操作態様が同じとなり、遊技者にいずれの操作を行えばよいか混乱させることが確実になくなる。
【０１３１】
・上記実施形態において、同時に複数のボタン演出を表示させる場合、新たに表示させるボタン演出の演出結果を、先に表示されていたボタン演出の操作結果と同じに変更しても良い。例えば、大当り予告を演出結果として表示する第１ボタン演出が実行されているときに、第２ボタン演出の表示が可能となった場合、保留変化予告を表示するのではなく、第１ボタン演出と同じように、大当り予告を演出結果として表示させても良い。
【０１３２】
・上記実施形態において、重複した操作有効期間において、各ボタン演出が要求した操作を満たした場合には、要求が満たされたボタン演出毎に演出結果を表示させた。この別例として、重複した操作有効期間において、いずれかのボタン演出により要求される操作ボタンＢＴの操作が行われた場合には、全てのボタン演出の演出結果を表示させても良い。例えば、第１ボタン演出において、操作を１回要求し、第２ボタン演出において、操作を５回要求した場合において、重複する操作有効期間で操作ボタンＢＴの操作が１回行われた場合、第１ボタン演出の演出結果をメイン演出表示装置１３ａに表示させると共に、第２ボタン演出の演出結果をサブ演出表示装置１３ｂに表示させてもよい。これにより、要求される全てのボタン演出の操作を行わなくても、全ての操作演出の演出結果を見ることができ、手間を省くことができると共に、演出結果の見落としを防止できる。また、いずれかのボタン演出により要求される操作を実行すればよい為、遊技者が好ましい操作のみを行えば良く、操作させる意欲を向上させることができる。
【０１３３】
・上記実施形態において、各ボタン演出が要求する操作ボタンＢＴの操作（必要操作回数）を異ならせたが、同じとしても良い。
・上記実施形態において、各ボタン演出に応じた演出結果（大当り予告と保留変化予告）を異ならせたが、同じとしても良い。
【０１３４】
・上記実施形態において、第１ボタン演出の演出結果をサブ演出表示装置１３ｂに表示させてもよく、第２ボタン演出の演出結果をメイン演出表示装置１３ａに表示させてもよい。
【０１３５】
・上記実施形態において、サブ演出表示装置１３ｂは、ソレノイドなどで上下方向などに可動する可動演出が実行可能な可動体であるようにしてもよい。
次に、上記実施形態及び別例から把握できる技術的思想を以下に追記する。
【０１３６】
（イ）上記遊技機において、前記第１演出表示領域を構成する装置と、前記第２演出表示領域を構成する装置は、別体であるようにしてもよい。
（ロ）上記遊技機において、前記操作演出には、演出態様が異なる複数種類の操作演出が用意されており、同時期に異なる演出態様の操作演出が表示されるようにしてもよい。
【０１３７】
（ハ）上記遊技機において、前記操作演出には、演出結果が異なる複数種類の操作演出が用意されており、同時期に演出結果が異なる操作演出が表示されるようにしてもよい。
（ニ）上記遊技機において、前記操作演出には、要求される操作手段の操作態様が異なる複数種類の操作演出が用意されており、同時期に異なる操作態様の操作演出が表示されるようにしてもよい。
【０１３８】
（ホ）上記遊技機において、前記第１演出表示領域に表示された前記操作演出により要求された操作が満たされた場合には、前記第１演出表示領域に表示された前記操作演出の演出結果を前記第１演出表示領域に表示させ、前記第２演出表示領域に表示された前記操作演出により要求された操作が満たされた場合には、前記第２演出表示領域に表示された前記操作演出の演出結果を前記第２演出表示領域に表示させるようにしてもよい。
【符号の説明】
【０１３９】
ＢＴ…操作ボタン、ＨＤ…発射ハンドル、ＳＯＬ１…大入賞口ソレノイド、ＳＥ１…始動センサ、ＳＥ３…カウントセンサ、ＹＢ…遊技盤、１１…特別図柄表示装置、１３ａ…メイン演出表示装置、１３ｂ…サブ演出表示装置、１４…始動入賞口、１５…始動入賞装置、１９…大入賞口扉、２０…大入賞装置、２１…大入賞口、２２…保留表示装置、３０…主制御基板、３０ａ…主制御用ＣＰＵ、３０ｂ…主制御用ＲＯＭ、３０ｃ…主制御用ＲＡＭ、３１…演出制御基板、３１ａ…演出制御用ＣＰＵ、３１ｂ…演出制御用ＲＯＭ、３１ｃ…演出制御用ＲＡＭ。
【図１】
2015192812.tif 000003
【図２】
2015192812.tif 000004
【図３】
2015192812.tif 000005
【図４】
2015192812.tif 000006
【図５】
2015192812.tif 000007
【図６】
2015192812.tif 000008
【図７】
2015192812.tif 000009